(57)【要約】  無線通信方式におけるシステム間ハンドオーバを容易にするシステムと方法が説明される。ここに説明する種々の態様は、移動元システムおよび／または移動先システムに必要な特定の変更を最小にするために、移動先システムが移動デバイスによって移動元システムを介して準備されることを可能とするハンドオーバ技術を提供する。移動元システムの無線リンクが、移動先システム内の受信ノードが理解するフォーマットの信号メッセージをトンネリングするために利用される複数の手法がここに説明される。さらに、移動元および移動先システムにある、システム内モビリティを処理するそれぞれのネットワークノード間に、簡易で一般的な伝送トンネルを確立することにより、および関係する各システム技術の無線インタフェイス上にレイヤ２（Ｌ２）トンネリングメカニズムを用意することにより、アクセス間高速ハンドオーバが容易となる。【選択図】      図３
2010531116.tif 000002
【特許請求の範囲】
【請求項１】
無線通信方式におけるハンドオーバを管理するための方法であって、
移動先ネットワークに関係づけられた信号伝送方法に基づいて、伝送された信号を識別することと；
前記移動先ネットワークへの通信リンクを確立することと；
前記確立された通信リンクを用いて前記識別された信号を提供することにより、前記移動先ネットワークへのハンドオーバのための資源を準備することと；
を備えた方法。
【請求項２】
前記準備することは、前記識別された信号を、前記移動先ネットワークに関係づけられた前記信号伝送方法と独立しているプロトコルを用いて提供することを備える、請求項１に記載の方法。
【請求項３】
前記識別することは、前記移動先ネットワークに送られ、かつ１つ以上のデータパケットとしてカプセル化された、伝送された信号を識別することを備え、前記準備することは、前記１つ以上のデータパケットを前記移動先ネットワークへ転送することを備える、請求項１に記載の方法。
【請求項４】
前記準備することは、前記確立された通信リンクを用いて、前記移動先ネットワークにおけるモビリティ管理エンティティ（Mobility Management Entity）（ＭＭＥ）へ信号を提供することを備える、請求項１に記載の方法。
【請求項５】
前記確立することは、前記移動先ネットワークの前記信号伝送方法とは独立の一般的インターネットプロトコル（ＩＰ）トランスポートプロトコルに基づいて前記移動先ネットワークへの通信リンクを確立することを備える、請求項１に記載の方法。
【請求項６】
前記識別することは、１つ以上の非アクセス層（Non−Access Stratum）（ＮＡＳ）の信号メッセージを識別することを備える、請求項１に記載の方法。
【請求項７】
前記確立することは、
前記移動先ネットワークへのハンドオーバが要求されているかどうかを決定することと；
肯定的決定がされると、前記移動先ネットワークへの通信リンクを確立することと；
を備える、請求項１に記載の方法。
【請求項８】
前記識別することは、レイヤ２（Ｌ２）通信トンネルで伝送される信号を識別することをさらに備える、請求項１に記載の方法。
【請求項９】
移動先システムおよび前記移動先システムに関係づけられた無線アクセスプロトコルに関するデータを格納するメモリーと；
前記移動先システムに関係づけられた前記無線アクセスプロトコルを利用して、伝達された１つ以上のメッセージを識別するように構成され、かつ、前記識別されたメッセージを前記移動先システムへトンネリングすることによって、前記移動先システムへのハンドオーバのための資源を準備するように構成されたプロセッサと；
を備えた無線通信装置。
【請求項１０】
前記プロセッサは、前記移動先システムに関係づけられた前記無線アクセスプロトコルとは異種でかつ前記無線通信装置に関係づけられた無線アクセスプロトコルとも異種のプロトコルを用いて、前記識別されたメッセージを前記移動先システムへトンネリングするようにさらに構成された、請求項９に記載の無線通信装置。
【請求項１１】
前記プロセッサは、それぞれのデータパケットで提供された１つ以上のメッセージを識別するように構成され、かつ、前記データパケットをインターネットプロトコル（ＩＰ）信号伝送を利用して前記移動先ネットワークへトンネリングするようにさらに構成された、請求項９に記載の無線通信装置。
【請求項１２】
前記プロセッサは、前記識別されたメッセージを前記移動先システムにおけるモビリティ管理エンティティ（Mobility Management Entity）（ＭＭＥ）へトンネリングするようにさらに構成された、請求項９に記載の無線通信装置。
【請求項１３】
前記プロセッサは、前記移動先システムに関係づけられた前記無線アクセスプロトコルとは独立の、前記移動先システムとの一般的ＩＰトンネルを確立するようにさらに構成された、請求項９に記載の無線通信装置。
【請求項１４】
前記プロセッサは、前記移動先システムへのハンドオーバが要求されているという決定がされると、前記移動先システムとのトンネルを確立するようにさらに構成された、請求項９に記載の無線通信装置。
【請求項１５】
前記メモリーは、１つ以上の非アクセス層（Non−Access Stratum）（ＮＡＳ）の信号メッセージに関するデータを格納する、請求項９に記載の無線通信装置。
【請求項１６】
前記プロセッサは、レイヤ２（Ｌ２）トンネルで伝送される１つ以上の信号を識別するように構成された、請求項９に記載の無線通信装置。
【請求項１７】
無線通信システムにおいて、ハンドオフの準備と管理を容易にする装置であって、
移動先ネットワークのアクセス方法に基づいて信号を受信するための手段と；
通信サービスが前記移動先ネットワークに引き渡されることになっているかどうかを決定するための手段と；
肯定的決定がされると、資源の準備を容易にするために前記受信信号を前記移動先ネットワークへトンネリングするための手段と；
を備えた装置。
【請求項１８】
計算機可読媒体を有する計算機プログラム製品であって、前記計算機可読媒体は、
第１の通信プロトコルを識別するためのコードと；
前記第１の通信プロトコルとは異種であり、通信サービスが引き渡されることになっているネットワークに関係づけられた第２の通信プロトコルを識別するためのコードと；
前記第２の通信プロトコルに従って、フォーマットされた信号を受信するためのコードと；
受信された信号を、通信サービスが確立されることになっている前記ネットワークへトンネリングするためのコードと；
を備えた、計算機プログラム製品。
【請求項１９】
準備されたハンドオーバを管理するための計算機実行可能命令を実行する集積回路であって、前記命令は、
移動先ネットワークに関係づけられたアクセス方法に基づいて１つ以上の非アクセス層（Non−Access Stratum）（ＮＡＳ）の信号メッセージを識別することと；
前記移動先ネットワークとの通信トンネルを確立することと；
前記識別されたＮＡＳ信号メッセージを前記確立された通信トンネルを用いて前記移動先ネットワークへ提供することにより、前記移動先ネットワークへのハンドオーバのための資源を準備することと；
を備えた、集積回路。
【請求項２０】
通信のための資源を準備するための方法であって、
移動元ネットワークとの通信リンクを確立することと；
前記移動元ネットワークから前記通信リンクを介して最初に伝達された、中継された信号を受信することと；
前記受信された信号に基づいて通信のための資源を準備することと；
を備えた方法。
【請求項２１】
前記確立することは、前記移動元ネットワークとの一般的インターネットプロトコル（ＩＰ）パケットトランスポートトンネルを確立することを備える、請求項２０に記載の方法。
【請求項２２】
前記移動元ネットワークは、発展型ユニバーサル地上無線アクセスネットワーク（Evolved Universal Terrestrial Radio Access Network）（Ｅ−ＵＴＲＡＮ）である、請求項２０に記載の方法。
【請求項２３】
前記受信することは、前記移動元ネットワークにおけるモビリティ管理エンティティ（ＭＭＥ）からの中継された信号を受信することを備える、請求項２２に記載の方法。
【請求項２４】
前記受信することは、前記移動元ネットワークに関係づけられたプロトコルとは独立のプロトコルを用いて、前記中継された信号を受信することを備える、請求項２０に記載の方法。
【請求項２５】
前記中継された信号は、１つ以上の非アクセス層（Non−Access Stratum）（ＮＡＳ）の信号メッセージを備える、請求項２０に記載の方法。
【請求項２６】
基地局との通信トンネルおよびシステムアクセス方法に関するデータを格納するメモリーと；
前記メモリーに格納されたシステムアクセス方法を利用し、および前記通信トンネルを通じて前記基地局から無線通信装置に送られる信号を受信するように構成されたプロセッサと；
を備えた無線通信装置。
【請求項２７】
前記プロセッサは、前記受信信号に基づいて、前記基地局からのハンドオーバに従って通信用資源を準備するようにさらに構成された、請求項２６に記載の無線通信装置。
【請求項２８】
前記プロセッサは、前記基地局に関係づけられたシステムアクセス方法とは独立した、前記基地局との一般的インターネットプロトコル（ＩＰ）トランスポートトンネルを確立するようにさらに構成された、請求項２６に記載の無線通信装置。
【請求項２９】
前記基地局は、発展型ユニバーサル地上無線アクセスネットワーク（Evolved Universal Terrestrial Radio Access Network）（Ｅ−ＵＴＲＡＮ）である、請求項２６に記載の無線通信装置。
【請求項３０】
前記プロセッサは、前記基地局におけるモビリティ管理エンティティ（Mobility Management Entity）（ＭＭＥ）から、前記通信トンネルを通じて信号を受信するようにさらに構成された、請求項２６に記載の無線通信装置。
【請求項３１】
前記プロセッサは、前記メモリーに格納された前記システムアクセス方法および前記基地局に関係づけられたシステムアクセス方法から独立した通信方法を用いて、前記通信トンネルを通じて前記基地局と交信するようにさらに構成された、請求項２６に記載の無線通信装置。
【請求項３２】
前記プロセッサは、前記基地局との前記通信トンネルを介して１つ以上の非アクセス層（Non−Access Stratum）（ＮＡＳ）信号メッセージを受信するようにさらに構成された、請求項２６に記載の無線通信装置。
【請求項３３】
ハンドオーバのための資源準備を容易にする装置であって、
移動元システムとの通信リンクのための資源を確立するための手段と；
前記移動元システムを介して前記通信リンクで情報を受信するための手段と；
前記受信された情報に基づいて通信のための資源を確立するための手段と；
を備えた装置。
【請求項３４】
計算機可読媒体を有する計算機プログラム製品であって、前記計算機可読媒体は、
移動元ネットワークからの通信サービスのハンドオーバに関係する、前記移動元ネットワークとの通信トンネルに対応する資源を確立するためのコードと；
前記通信トンネルを通じて前記移動元ネットワークによって中継された１つ以上の信号メッセージを識別するためのコードと；
前記識別された信号メッセージに基づいて通信のための資源を準備するためのコードと；
を備えた、計算機プログラム製品。
【請求項３５】
通信サービスのハンドオーバを準備するための計算機実行可能命令を実行する集積回路であって、前記命令は、
通信システムとのインタフェイス上のトンネルに対応する通信資源を割り当てることと；
前記通信システムとのトンネルを介して１つ以上のハンドオーバ準備メッセージを受信することと；
前記受信メッセージに基づいて前記通信システムからのハンドオーバのための資源を準備すること；
を備えた、集積回路。
【請求項３６】
第１のネットワークから第２のネットワークへのハンドオーバを準備するための方法であって、
第１のアクセス方法を用いて第１のネットワークとの通信を確立することと；
前記第１のネットワークから、前記第１のアクセス方法とは異種の第２のアクセス方法を利用する第２のネットワークへの、通信サービスの要求される変更を識別することと；
前記第２のアクセス方法に基づきかつ前記第２のネットワークに送られる、前記第１のネットワークへの通信信号によって、前記第２のネットワークにおいて資源を準備することと；
を備えた方法。
【請求項３７】
前記準備することは、レイヤ２（Ｌ２）のトンネルを通じて前記第１のネットワークへ信号を伝達することを備える、請求項３６に記載の方法。
【請求項３８】
前記第１のネットワークは、発展型ユニバーサル地上無線アクセスネットワーク（Evolved Universal Terrestrial Radio Access Network）（Ｅ−ＵＴＲＡＮ）を備え、前記準備することは、前記第１のネットワークにおけるモビリティ管理エンティティ（Mobility Management Entity）（ＭＭＥ）へ信号を伝達することをさらに備える、請求項３６に記載の方法。
【請求項３９】
前記ＭＭＥへ信号を伝達することは、Ｌ２トンネルで前記ＭＭＥへ信号を伝達することを備える、請求項３８に記載の方法。
【請求項４０】
前記ＭＭＥへ信号を伝達することは、前記第１のネットワークにおける前記Ｅ−ＵＴＲＡＮへの信号を、続いて第２のＬ２トンネルで前記ＭＭＥへ転送するための第１のＬ２トンネルで伝達することを備える、請求項３８に記載の方法。
【請求項４１】
前記準備することは、
前記第２のアクセス方法に基づいておりかつ前記第２のネットワークへ送られる信号をそれぞれのデータパケット内にカプセル化することと；
前記それぞれのデータパケットを前記第１のネットワークへ伝達すること；
を備える、請求項３６に記載の方法。
【請求項４２】
前記第２のネットワークにおいて資源が準備されると、前記第２のネットワークとの交信を確立することをさらに備えた、請求項３６に記載の方法。
【請求項４３】
第１のシステム、前記第１のシステムによって利用される第１の無線アクセス方法、第２のシステム、および前記第２のシステムによって利用される第２の無線アクセス方法に関するデータを格納するメモリーと；
前記第１のシステムから前記第２のシステムへの必要なハンドオーバを識別するように構成され、かつ、前記第２の無線アクセス方法を利用し、前記第２のシステムへ送られるハンドオーバ準備信号を前記第１のシステムへ伝達することによって、前記第２のシステムへのハンドオーバのための資源を準備するように構成されたプロセッサと；
を備えた無線通信装置。
【請求項４４】
前記プロセッサは、ハンドオーバ準備信号を前記第１のシステムにおけるモビリティ管理エンティティ（Mobility Management Entity）（ＭＭＥ）へ伝達するようにさらに構成された、請求項４３に記載の無線通信装置。
【請求項４５】
前記プロセッサは、前記ＭＭＥへのハンドオーバ準備信号をレイヤ２（Ｌ２）トンネルを通じて前記ＭＭＥへ伝達するようにさらに構成された、請求項４４の無線通信装置。
【請求項４６】
前記プロセッサは、前記ハンドオーバ準備信号を、第１のＬ２トンネルを通じて、続いて第２のＬ２トンネルを通じて前記ＭＭＥへトンネリングするために、前記第１のシステムへ伝達するようにさらに構成された、請求項４４に記載の無線通信装置。
【請求項４７】
前記プロセッサは、前記ハンドオーバ準備信号を１つ以上のデータパケットとして前記第１のシステムへ伝達するようにさらに構成された、請求項４３に記載の無線通信装置。
【請求項４８】
前記プロセッサは、前記第２のシステムへのハンドオーバのための資源が準備されると、前記第２のシステムとの交信を確立するようにさらに構成された、請求項４３に記載の無線通信装置。
【請求項４９】
ハンドオーバのためのアクセスシステム間準備を容易にする装置であって、
第１の通信方法を用いて移動元システムと交信するための手段と；
第２の通信方法を用いて移動先システムを識別するための手段と；
前記第２のシステムへ送られる設定情報を提供し、かつ前記第２の通信方法を第１のシステムに利用することによって、前記移動元システムから前記移動先システムへの通信サービスの変更のための資源を準備するための手段と；
を備えた装置。
【請求項５０】
計算機可読媒体を有する計算機プログラム製品であって、前記計算機可読媒体は、
移動元通信ネットワークから移動先通信ネットワークへの必要なハンドオフと、移動先通信ネットワークによって利用されるアクセス形式とを識別するためのコードと；
前記移動先通信ネットワークへ送られ、かつ移動先通信ネットワークによって利用されるアクセス形式を移動元ネットワークに対して利用する設定情報を提供することによって、前記移動先通信ネットワークにおける資源を準備するためのコードと；
を備えた、計算機プログラム製品。
【請求項５１】
無線通信方式におけるハンドオーバ準備のための計算機実行可能命令を実行する集積回路であって、前記命令は、
第１のシステムとの通信を確立することと；
第２のシステムと前記第２のシステムに関係づけられた通信プロトコルとを識別することと；
前記第２のシステムにおいて、前記第２のシステムへのハンドオーバのための資源を、前記第２のシステムに関係づけられた通信プロトコルを用いて、前記第１のシステムへ信号をトンネリングすることにより準備することと；
を備えた、集積回路。
【発明の詳細な説明】
【関連出願】
【０００１】
本出願は、２００７年６月１８日出願され、全体がここに参照として組み込まれる米国仮出願番号60/944,782、名称“METHODS AND APPARATUSES FOR FAST INTER−SYSTEM HANDOVER”（「システム間高速ハンドオーバのための方法および装置」）の利益を主張する。
【技術分野】
【０００２】
本開示は、一般に無線通信に関する。より詳細には、無線通信システムにおけるハンドオーバ動作を管理するための手法に関する。
【背景技術】
【０００３】
無線通信システムは、種々の通信サービスを提供するために広く展開されている。例えば、そのような無線通信システムを介して、音声、ビデオ、パケットデータ、放送、およびメッセージ型サービスを供給する。これらのシステムは複数の端末に対する通信を、利用可能なシステム資源を共有してサポートすることができる多重接続システムであるかもしれない。そのような多重接続システムの例は符号分割多重接続（ＣＤＭＡ）システム、時分割多重接続（ＴＤＭＡ）システム、周波数分割多重接続（ＦＤＭＡ）システム、および直交周波数分割多重接続（ＯＦＤＭＡ）システムを含む。
【０００４】
一般に、無線多重接続通信システムは、複数の無線端末のための通信を同時にサポートできる。そのようなシステムにおいて、各端末は、順方向および逆方向リンクでの伝送を介して１つ以上の基地局と交信する。順方向リンク（または、ダウンリンク）は基地局から端末への通信リンクを指し、逆方向リンク（または、アップリンク）は端末から基地局への通信リンクを指す。この通信リンクは、単一入力単一出力（ＳＩＳＯ）、複数入力単一出力（ＭＩＳＯ）、または複数入力複数出力（ＭＩＭＯ）システムを介して確立される。
【０００５】
ハンドオーバ手順は、無線通信システムにおいて移動デバイスが通信サービスを第１のネットワークから第２のネットワークへの引き渡しを要求する場合に利用される。無線通信技術がより進化するに従って、お互いから異種のアクセス方法を利用できる、異なる移動システム間のシームレスな移動性とサービス継続性がますます重要になる。異種の方法でアクセスされたネットワーク間のシームレスな移動性は、システム間で準備されたハンドオーバによって容易になる。これは、アクセスシステム間の準備によって可能となる。システムを跨るハンドオーバ準備を提供するための種々の手法が存在する。例えば、アクセスシステム間の準備は２つの無線技術で同時に通信できる移動デバイスによって行われる。しかし、システム準備をこの方法で行うと、マルチモード無線能力を有する安価な端末ハードウェアの使用を困難にする。あるいはまた、異種の方法でアクセスされるシステムのモビリティ管理エンティティ間のインタフェイスが、第１のシステムが第２のシステムにおいて資源を準備するためにそのインタフェイスを利用できるように提供されても良い。しかし、この手法では異なる無線技術で互いに通信できることが必要となるため、無線技術間の複雑な標準化作業を必要とする。
【０００６】
従って、無線通信システムにおけるシステム間高速ハンドオーバのための技術に対する要求がある。
【発明の概要】
【０００７】
以下に、特許請求内容の種々の態様の簡易化した概要を述べ、そのような態様の基本的理解を提供する。この概要は、想定したすべての態様の広範な概観でなく、また、そのような態様の鍵となるまたは決定的な要素を特定することも、そのような態様の範囲を正確に述べることも意図されていない。この唯一の目的は、後で述べるより詳細な説明への導入として、簡単な形で開示した態様のいくつかの概念を述べることである。
【０００８】
一態様にしたがって、ここに無線通信システムにおけるハンドオーバの管理方法を説明する。本方法は、移動先ネットワークに関係する信号送信方法に基づいて伝達される信号を識別することと、移動先ネットワークとの通信リンクを確立することと、前記識別された信号を前記確立された通信リンクを用いて提供することにより、移動先ネットワークへのハンドオーバのための資源を準備すること、とを備える。
【０００９】
別の態様に従って、移動先システムに関係するデータおよび移動先システムに関係する無線アクセスプロトコルを格納するメモリーを含む無線通信装置をここに説明する。無線通信装置は、移動先システムに関係する無線アクセスプロトコルを利用して伝達された１つ以上のメッセージを識別するように、および、前記識別されたメッセージを移動先システムへトンネリングすることによって移動先システムへのハンドオーバのための資源を準備するように構成されたプロセッサをさらに備える。
【００１０】
さらに、別の態様は、無線通信システムにおけるハンドオフの準備および管理を容易にする装置に関する。この装置は移動先ネットワークのアクセス方法に基づいて信号を受信するための手段と、通信サービスが移動先ネットワークへ引き渡されるかどうかを決定するための手段と、肯定的決定であれば、移動先ネットワークへ、そこでの資源準備を容易にするために前記受信信号をトンネルするための手段、とを備える。
【００１１】
さらに別の態様は、第１の通信プロトコルを識別するためのコードと、通信サービスが引き渡されるべきネットワークに関係する、第１の通信プロトコルとは異種の第２の通信システムプロトコルを識別するためのコードと、第２の通信プロトコルにしたがってフォーマットされた信号を受信するためのコードと、通信サービスが確立されるべきネットワークへ前記受信信号をトンネリングするためのコード、とを備える計算機可読媒体を備えた、計算機プログラム製品に関する。
【００１２】
さらに別の態様は、準備されたハンドオーバを管理するための計算機実行可能命令を実行する集積回路に関する。命令は、移動先ネットワークに関係するアクセス方法に基づいて１つ以上の非アクセス層（Non−Access Stratum）（ＮＡＳ）の信号メッセージを識別することと、移動先ネットワークとの通信トンネルを確立することと、前記確立された通信トンネルを用いて移動先ネットワークへのハンドオーバのために、識別されたＮＡＳ信号メッセージをそこへ提供することにより資源を準備すること、とを備える。
【００１３】
別の態様にしたがって、通信のための資源を準備するための方法をここに説明する。本方法は、移動元ネットワークとの通信リンクを確立することと、最初には前記送信元ネットワークから前記通信リンクを介して伝達された中継信号を受信することと、前記受信された信号に基づいて通信用の資源を準備すること、とを備える。
【００１４】
さらに別の態様に従って、基地局との通信トンネルに関するデータおよびシステムアクセス方法を格納するメモリーを含む無線通信装置をここに説明する。この無線通信装置は、メモリーに格納された前記システムアクセス方法を利用し、かつ通信トンネルを通じて基地局から無線通信装置に送られた信号を受信するように構成されたプロセッサをさらに備える。
【００１５】
別の態様はハンドオーバのための資源準備を容易にする装置に関する。この装置は移動元システムとの通信リンクのための資源を確立するための手段と、前記通信リンク上で移動元システムを介して情報を受信するための手段と、前記受信情報に基づいて通信のための資源を確立するための手段、とを備える。
【００１６】
さらに別の態様は、移動元ネットワークからの通信サービスのハンドオーバに関係する、移動元ネットワークとの通信トンネルに対応する資源を確立するためのコードと、前記通信トンネルを通じて移動元ネットワークによって中継される１つ以上の信号メッセージを識別するためのコードと、前記識別された信号メッセージに基づいて通信用資源を準備するためのコード、とを備える計算機可読媒体を備えた計算機プログラム製品に関する。
【００１７】
さらに別の態様は、通信サービスのハンドオーバを準備するための計算機実行可能命令を実行する集積回路に関する。この命令は、通信システムとのインタフェイスのトンネルに対応する通信資源を割り当てることと、前記通信システムとの前記トンネルを介して１つ以上のハンドオーバ準備メッセージを受信することと、前記受信メッセージに基づいて前記通信システムからのハンドオーバのための資源を準備すること、とを備える。
【００１８】
さらに別の態様は、第１のネットワークから第２のネットワークへのハンドオーバを準備するための方法に関する。この方法は、第１のアクセス方法を用いる第１のネットワークとの交信を確立することと、第１のネットワークから、第１のアクセス方法とは異種の第２のアクセス方法を利用する第２のネットワークへの、通信サービスにおける必要な変更を識別することと、第２のネットワークにおいて、第２のアクセス方法に基づいており第２のネットワークへ送られる信号を、第１のネットワークへ伝達することにより、資源を準備すること、とを備える。
【００１９】
さらに別の態様にしたがって、第１のシステム、第１のシステムによって利用される第１の無線アクセス方法、第２のシステム、および第２のシステムによって利用される第２の無線アクセス方法に関するデータを格納するメモリーを含む無線通信装置をここに説明する。この無線通信装置は、第１のシステムから第２のシステムへの要求されるハンドオーバを識別するように、および第２の無線アクセス方法を利用し第２のシステムに送られるハンドオーバ準備信号を第１のシステムへ伝達することにより、第２のシステムへのハンドオーバのための資源を準備するように構成されたプロセッサをさらに備える。
【００２０】
さらに別の態様にしたがって、ハンドオーバのためのアクセスシステム間の準備を容易にする装置についてここに説明する。本装置は第１の通信方法を用いて移動元システムと交信するための手段と、第２の通信方法を用いて移動先システムを識別するための手段と、第２のシステムに送られる設定情報を提供し、第２の通信方法を第１のシステムに利用することによって、移動元システムから移動先システムへの、通信サービスにおける変更のための資源を準備するための手段、とを含む。
【００２１】
さらに別の態様は、移動元通信ネットワークから移動先通信ネットワークへの要求されるハンドオフ、および移動先通信ネットワークによって利用されるアクセス形式を識別するためのコードと、移動先通信ネットワークに送られ、かつ移動先通信ネットワークによって利用されるアクセス形式を移動元通信ネットワークに利用する設定情報を移動元ネットワークへ提供することにより移動先通信ネットワークにおいて資源を準備するためのコード、とを備える計算機可読媒体を備えた計算機プログラム製品に関する。
【００２２】
更に別の態様は、無線通信方式においてハンドオーバを準備するためのコンピュータ実行可能命令を実行する集積回路に関する。この命令は、第１のシステムとの交信を確立することと、第２のシステムおよび第２のシステムに関係する通信プロトコルを識別することと、第２のシステムにおいて第２のシステムに関係する通信プロトコルを用いて信号を第１のシステムへトンネリングすることにより第２の通信システムへのハンドオーバのための資源を準備すること、とを備える。
【００２３】
上記および関連する目的の達成のために、特許請求内容の１つ以上の態様は、以下に完全に記載され、かつ請求範囲で詳細に示される特徴を備える。以下の説明および添付図面は特許請求内容の特定の例示的態様を詳細に説明する。しかし、これらの態様は、特許請求内容の原理が採用される種々の方法のほんの僅かを示しているにすぎない。さらに、開示された態様は、すべてのそのような態様およびその均等物を含むことが意図されている。
【図面の簡単な説明】
【００２４】
【図１】ここに記載された種々の態様に従う多重接続通信システムを例示する図。
【図２】本発明の種々の態様に従う無線通信システムにおける例示的な準備されたハンドオーバ動作を例示するブロック図。
【図３】本発明の、種々の態様に従う無線通信システムにおけるシステム間高速ハンドオーバを例示するブロック図。
【図４】本発明の、種々の態様に従う無線通信システムにおけるシステム間高速ハンドオーバを示すブロック図。
【図５】本発明の、種々の態様に従う無線通信システムにおけるシステム間高速ハンドオーバを示すブロック図。
【図６】本発明の、種々の態様に従うアクセス間ハンドオーバを容易にするために利用される例示的ネットワークアーキテクチャを例示する図。
【図７】本発明の、種々の態様に従う無線通信システムにおいて実行される例示的ハンドオーバ手順を例示する図。
【図８】本発明の、種々の態様に従う無線通信システムにおいて実行される例示的ハンドオーバ手順を示す図。
【図９】本発明の、無線通信システムにおいてアクセス間の高速な準備されたハンドオーバを実行するための方法のフロー図。
【図１０】本発明の、無線通信システムにおいてアクセス間の高速な準備されたハンドオーバを実行するための方法のフロー図。
【図１１】本発明の、無線通信システムにおいてアクセス間の高速な準備されたハンドオーバを実行するための方法のフロー図。
【図１２】ここに説明した種々の態様が機能する例示的無線通信システムを例示するブロック図。
【図１３】ここに説明した種々の態様を実施するように動作可能な例示的無線デバイスを例示するブロック図。
【図１４】ここに説明した種々の態様を実施するように動作可能な例示的無線デバイスを例示するブロック図。
【図１５】本発明の、無線通信システムにおいてネットワーク間高速ハンドオーバを容易にする装置のブロック図。
【図１６】本発明の、無線通信システムにおいてネットワーク間高速ハンドオーバを容易にする装置のブロック図。
【図１７】本発明の、無線通信システムにおいてネットワーク間高速ハンドオーバを容易にする装置のブロック図。
【発明の詳細な説明】
【００２５】
特許請求内容の種々の態様は同じ参照番号が全体にわたり同じ要素を参照するために用いられる図面を参照して説明される。説明のため、以下の記述において、１つ以上の態様の完全な理解を与えるために多くの特定の詳細が記載される。しかし、そのような（複数の）態様がこれらの特定の詳細なしで実施されるかもしれないことは明白である。他の場合には、１つ以上の態様の説明を容易にするために、周知の構造およびデバイスは、ブロック図の形で示される。
【００２６】
用語「構成要素」、「モジュール」、「システム」等は、この出願で用いられる場合、計算機関連のエンティティ、ハードウェア、ファームウェア、ハードウェアとソフトウェアの組合せ、ソフトウェア、または計算用ソフトウェアのいずれかを指すことが意図されている。例えば、構成要素は、非限定的に、プロセッサ上で実行するプロセス、集積回路、オブジェクト、エクゼキュータブル、実行のスレッド、プログラム、および／または計算機であり得る。例示として、計算デバイスで実行するアプリケーションおよび計算デバイスの双方は構成要素であり得る。１つ以上の構成要素がプロセスおよび／または実行のスレッド内にあり、また構成要素は１つの計算機に局在および／または２つ以上の計算機間に分散され得る。さらに、これらの構成要素は種々のデータ構造を格納している種々の計算機可読媒体から実行され得る。これらの構成要素は、例えば１つ以上のデータパケットを有する信号（例えば、ローカルシステム、分散システム内の別の構成要素と相互に関係する、および／またはインターネットのようなネットワークを経由して信号によって他のシステムと相互に関係する１つの構成要素からのデータ）に従ってローカルおよび／またはリモート処理によって通信することができる。
【００２７】
さらに、無線端末および／または基地局に関連して種々の態様をここに説明する。無線端末は、音声および／またはデータの接続性をユーザに提供するデバイスをいう。無線端末は、ラップトップコンピュータまたはデスクトップコンピュータのような計算デバイスに接続され得る。または携帯情報端末（ＰＤＡ）のような内蔵デバイスであってもよい。無線端末は、システム、加入者ユニット、加入者局、移動局、移動デバイス、リモート局、アクセスポイント、リモート端末、アクセス端末、ユーザ端末、ユーザエージェント、ユーザデバイス、またはユーザ機器とも呼ばれる。無線端末は、加入者局、無線デバイス、携帯電話、ＰＣＳ電話、コードレス電話、セッション確立プロトコル（ＳＩＰ）電話、無線ローカルループ（ＷＬＬ）局、個人情報機器（ＰＤＡ）、無線接続能力を有するハンドヘルドデバイス、または無線モデムに接続された他のプロセスデバイスであり得る。基地局（例えば、アクセスポイント）は、１つ以上のセクタを通じて、無線インタフェイス上で無線端末と交信するアクセスネットワークにおけるデバイスを指す。基地局は、無線端末と残りのアクセスネットワークの間のルータとして動作し得る。アクセスネットワークは受信した無線インタフェースフレームをＩＰパケットに変換することによりインターネットプロトコル（ＩＰ）ネットワークを含み得る。基地局は無線インタフェイスの属性管理の調整も行う。
【００２８】
さらに、ここで説明する種々の態様または特徴は、方法、装置または製品として、標準的プログラミングおよび／または工学的手法を用いて実施され得る。用語「製品」は、ここで用いられる場合、任意の計算機可読デバイス、キャリア、または媒体からアクセス可能な計算機プログラムを包含することが意図されている。例えば、計算機可読媒体は、非限定的に磁気記憶デバイス（例えば、ハードディスク、フロッピー（登録商標）ディスク、磁気ストリップ・・・）、光ディスク（例えば、コンパクトディスク（ＣＤ）、ディジタル多目的ディスク（ＤＶＤ）・・・）、スマートカード、およびフラッシュメモリーデバイス（例えば、カード、スティック、キードライブ・・・）を含む。
【００２９】
ここに説明する種々の手法は種々の無線通信システム、例えば、符号分割多重接続（ＣＤＭＡ）システム、時分割多重接続（ＴＤＭＡ）システム、周波数分割多重接続（ＦＤＭＡ）システム、および直交周波数分割多重接続（ＯＦＤＭＡ）システム、単一搬送波ＦＤＭＡ（ＳＣ−ＦＤＭＡ）システム、および他のそのようなシステムに対して用いられる。用語「システム」および「ネットワーク」はここではしばしば互換性を持って用いられる。ＣＤＭＡシステムはユニバーサル地上無線アクセス（ＵＴＲＡ）、ＣＤＭＡ２０００などのような無線技術を実施する。ＵＴＲＡは広帯域ＣＤＭＡ（Ｗ−ＣＤＭＡ）および他のＣＤＭＡの変形を含む。さらに、ＣＤＭＡ２０００は、ＩＳ−２０００、ＩＳ−９５およびＩＳ−８５６標準をカバーする。ＴＤＭＡシステムは広域自動車通信システム（ＧＳＭ）のような無線技術を実施する。ＯＦＤＭＡシステムは発展型（evolved）ＵＴＲＡ（Ｅ−ＵＴＲＡ）、超広帯域移動無線（Ultra Mobile Broadband）（ＵＭＢ）、ＩＥＥＥ８０２．１１（ＷｉＦｉ）、ＩＥＥＥ８０２．１６（ＷｉＭＡＸ）、ＩＥＥＥ８０２．２０，フラッシュ−ＯＦＤＭＤなどのような無線技術を実施する。ＵＴＲＡおよびＥ−ＵＴＲＡはユニバ−サル移動通信システム（ＵＭＴＳ）の部分である。３ＧＰＰ長期発展型（Long Term Evolution）（ＬＴＥ）は、ダウンリンクでＯＦＤＭＡを、アップリンクでＳＣ−ＦＤＭＡを採用する、Ｅ−ＵＴＲＡを用いるもので、近く公開される。ＵＴＲＡ、Ｅ−ＵＴＲＡ、ＵＭＴＳ、ＬＴＥおよびＧＳＭは「第３世代パートナシッププロジェクト」（３ＧＰＰ）という組織からの文書に記載されている。さらに、ＣＤＭＡ２０００およびＵＭＢは「第３世代パートナシッププロジェクト２」（３ＧＰＰ２）という組織からの文書に記載されている。
【００３０】
種々の態様は多くのデバイス、構成要素、モジュール等を含むシステムを用いて提示されるだろう。種々のシステムが追加のデバイス、構成要素、モジュールなどを含むかもしれないこと、および／または図面に関連して検討するデバイス、構成要素、モジュールその他をすべて含むわけではないことが理解され、認識されるべきである。これらの方法の組合せも用いられる。
【００３１】
次に、図面を参照する。図１は種々の態様に従う無線多重接続通信システムの例示図である。一例において、アクセスポイント１００（ＡＰ）は複数アンテナグループを含む。図１に例示するように、１つのアンテナグループはアンテナ１０４および１０６を含み、別の１つはアンテナ１０８および１１０を含み、別の１つはアンテナ１１２と１１４を含む。図１には２個のアンテナだけを各アンテナグループに対して示すが、各アンテナグループ対してより多く、またはより少ないアンテナを利用できることが理解されるべきである。別の例において、アクセス端末１１６（ＡＴ）はアンテナ１１２および１１４と交信しており、アンテナ１１２および１１４は順方向リンク１２０上でアクセス端末１１６へ情報を送信し、逆方向リンク１１８上でアクセス端末１１６から情報を受信する。付加的におよび／または代替的に、アクセス端末１２２（ＡＴ）はアンテナ１０６および１０８と交信しており、アンテナ１０６および１０８は順方向リンク１２６上でアクセス端末１２２へ情報を送信し、逆方向リンク１２４上でアクセス端末１２２から情報を受信する。周波数分割双方向（ＦＤＤ）システムにおいて、通信リンク１１８、１２０、１２４、および１２６は通信のために異なる周波数を用いる。例えば、順方向リンク１２０は逆方向リンク１１８で用いる周波数と異なる周波数を用いる。
【００３２】
アンテナの各グループおよび／またはアンテナが通信するように設計された領域はアクセスポイントのセクタと呼ばれる。一態様に従って、アンテナグループはアクセスポイント１００でカバーされる領域のセクタ内のアクセス端末と通信するように設計される。順方向リンク１２０および１２６上の通信において、アクセスポイント１００の送信アンテナは異なるアクセス端末１１６および１２２への順方向リンクのＳＮ比を改良するためにビームフォーミングを利用する。また、カバレッジ内にランダムに分散されているアクセス端末に送信するためにビームフォーミングを用いるアクセスポイントは、単一アンテナですべてのアクセス端末に送信するアクセスポイントよりも隣接セル内のアクセス端末への干渉をより小さくする。
【００３３】
アクセスポイント、例えばアクセスポイント１００は端末と交信するために用いる固定局であり、または、基地局、ノードＢ、アクセスネットワーク、および／または他の適切な用語でも呼ばれる。さらに、アクセス端末、例えばアクセス端末１１６または１２２は移動端末、ユーザ機器（ＵＥ）、無線通信デバイス、端末、無線端末、および／または、他の適切な用語でも呼ばれる。
【００３４】
図２は、ここに説明する種々の態様に従う無線通信システムにおける例示的な準備されたハンドオーバ動作を例示するブロック図である。一例において、ハンドオーバはブロック図２０２および２０４で例示するように、移動デバイス２１０に対する通信サービスを移動元システム２２０から移動先システム２３０へ引き渡すために行われる。さらに、移動元システム２２０と移動先システム２３０は同じ無線アクセス技術または異なる技術を利用することができる。
【００３５】
一態様に従って、移動元システム２２０と移動先システム２３０が異なる無線技術を利用する場合に移動元システム２２０から移動先システム２３０へのアクセスシステム間ハンドオーバは、アクセスシステム間準備無し（例えば基本的ハンドオーバ）で実行されるか、またはアクセスシステム間準備（例えば準備されたハンドオーバ）を用いて実行される。移動元システム２２０から移動先システムへの準備されたハンドオーバの非限定的な例を図面２０２および２０４に例示する。
【００３６】
図面２０２に、一態様にしたがって例示的無線通信システムにおける移動元システム２２０から移動先システム２３０へのハンドオーバに先立つ通信を例示する。図面２０２に示すように、ハンドオーバが行われる移動デバイス２１０は移動元システム２２０とのハンドオーバ前交信を行う。さらに、移動元システム２２０はハンドオーバ準備のための情報を移動先システム２３０へ伝達する。図面２０２には示さないが、移動デバイス２１０が付加的および／または代替的に移動先システム２３０へ直接ハンドオーバ準備情報を送るかもしれないことが理解されるべきである。ハンドオーバ準備後に、移動元システム２２０から移動先システム２３０へハンドオーバが行われ、その結果、移動デバイス２１０は図面２０４で例示するように、移動先システム２３０とのハンドオーバ後の交信を行うことができる。
【００３７】
移動先システム２３０のアクセス間ハンドオーバ準備のための種々の手法が存在する。第１の例として、例えば移動デバイス２１０は移動元システム２２０および移動先システム２３０と同時に交信できるように、「二重無線」能力を提供される。そのような例において、移動デバイス２１０は、認証、認可、および課金（ＡＡＡ）機能、資源の設定および／またはハンドオーバの他の態様を移動先システム２３０に準備する。これには移動元システム２２０への無線リンクを切断する前に、移動先システム２３０の無線インタフェイスを利用する。このようにして、移動元ネットワーク２２０から移動先ネットワーク２３０へユーザセッションをハンドオーバする際のサービス中断時間を最小にできる。しかし、この方法は移動デバイス２１０の二重無線能力に依存している故、多モード無線能力を有する低価格端末のハードウェアの使用を困難にする。
【００３８】
別の例として、移動デバイス２１０およびそのセッションに関する情報を移動元システムから移動先システムへ送るために、ハンドオーバに関わる２つのシステム２２０および２３０のネットワークインフラストラクチャ要素間にインタフェイスが用意される。その結果、移動デバイス２１０が移動元システム２２０との無線リンクを切断し、次いで移動先システム２３０に接続すると、移動先システムは既に移動デバイス２１０のセッションを継続するように準備されている。例えば、この方法は３ＧＰＰの第２世代（２Ｇ）と第３世代（３Ｇ）のレガシーシステム間のハンドオーバ動作に使われる。しかし、この方法が、２つの異種ネットワーク２２０および２３０であってその各々が相互に情報を伝達するために異なる標準の世代および／または通信技術を利用できるネットワークノードを必要とすることが理解されるだろう。従って、そのような方法は関係するシステム２２０および２３０間にかなりの標準化作業を必要とし、主要な設計への影響をシステム２２０および２３０双方に影響を与える結果となる。この欠点は、２つの関係するシステム２２０および２３０が異なる標準化機関（例えば、３ＧＰＰ、３ＧＰＰ２、ＷｉＭＡＸフォーラム、ＩＥＥＥなど）で規定される場合には、より顕著にさえなる。
【００３９】
上記を考慮すると、ここに説明する種々の態様は少なくとも上記欠点を緩和するアクセス間高速ハンドオーバのための手法を提供する。一態様に従って、移動元システム２２０および／または移動先システム２３０に要求される特定の変更を最小にするために、移動先システム２３０が、移動元システム２２０を介して移動デバイス２１０によって準備されることを可能とするハンドオーバ手法が提供される。さらに、移動元システム２２０に特有の状態情報が移動先システム２３０へ引き渡されることを防ぐハンドオーバ手法を説明する。
【００４０】
図３は、ここに説明する種々の態様に従うアクセス間高速ハンドオーバのための例示的システム３００を例示するブロック図である。一例において、システム３００は「単一無線」移動体端末３１０（例えば、一度に１つの無線システムと交信できる、および／または、動作状態になることができる端末）のためのシームレスなシステム間ハンドオーバを提供するために利用される。一態様に従って、システム３００はハンドオーバ動作のために移動元システムの無線リンクを利用して、移動先システム内の宛先ノードが理解するフォーマットになっている信号メッセージを「トンネル」する。例えば、信号メッセージは移動先システムにメッセージを直接送るために利用されるフォーマットで送信される。
【００４１】
システム３００で例示される例において、ハンドオーバ動作はＬＴＥアクセス技術に基づく発展型ユニバーサル地上無線アクセスネットワーク（Evolved Universal Terrestrial Radio Access Network）（Ｅ−ＵＴＲＡＮ）３３０と非３ＧＰＰアクセスシステム３２０（例えば、３ＧＰＰ２高速パケットデータ（ＨＲＰＤ）システム）との間で行われる。システム３００がＥ−ＵＴＲＡＮ３３０から非３ＧＰＰアクセスシステム３２０、またはその逆のハンドオーバ動作を容易にすることが理解されるべきである。さらに、システム３００に、Ｅ−ＵＴＲＡＮ３３０および非３ＧＰＰアクセスシステム３２０を例示しているが、システム３００で例示される手法はいかなる適切な無線通信技術に基づく（複数の）ネットワークにも適用できることが理解されるべきである。
【００４２】
一態様に従って、システム３００はシステム内モビリティを処理する２つの異なるシステム内のネットワークノード間に簡単で一般的な伝送トンネルを確立することにより、および関係する各システム技術の無線インタフェイス上にレイヤ２（Ｌ２）トンネルメカニズムを用意することにより、アクセス間高速ハンドオーバを提供する。システム３００で例示される例において、Ｅ−ＵＴＲＡＮ３３０に関係するモビリティ管理エンティティ（Mobility Management Entity）（ＭＭＥ）３３２と非３ＧＰＰアクセスシステム３２０の非３ＧＰＰネットワークノード３２２（例えば、ｃｄｍａ２０００基地局制御器またはＢＳＣ）との間に、Ｓ３＊またはＳ１０１参照点上に一般的な伝送トンネルが提供される。システム３００でさらに例示するように、Ｅ−ＵＴＲＡＮ３３０、ＭＭＥ３３２、および／または非３ＧＰＰアクセスシステム３２０は、サービスするシステムアーキテクチャ発展型（System Architecture Evolution）（ＳＡＥ）ゲートウェイ３３４および／またはパケットデータネットワーク（ＰＤＮ）ＳＡＥゲートウェイ３３６と、それらの間の種々インタフェイスを介して付加的に交信する。一態様に従って、システム３００によって単一無線端末の３１０へ提供されるトンネリングメカニズムはハンドオーバに関わる２つのシステム３２０および３３０への影響を最小にしながら、二重無線端末に通常関係するハンドオーバ特性を達成する。
【００４３】
一例において、移動端末３１０から直接非３ＧＰＰアクセスシステム３２０内の非３ＧＰＰネットワークノード３２２、Ｅ−ＵＴＲＡＮ３３０に関係するＭＭＥ３３２、および／または関係ネットワーク内のモビリティに責任のある別の適切なネットワークノードへの信号配布のために、Ｌ２トンネリングが提供される。あるいはまた、例えば第１のＬ２トンネルが移動体端末３１０と、非３ＧＰＰアクセスシステム３２０および／またはＥ−ＵＴＲＡＮ３３０との間の信号伝送を提供するために利用され、さらに、第２のＬ２トンネルがネットワーク３２０および／または３３０からそれぞれネットワークノード３２２および／または３３２へデータを提供するために利用されるように、Ｌ２トンネリングが提供される。
【００４４】
さらに、Ｓ３＊またはＳ１０１参照点上のネットワークノード３２２と３３２の間のトンネリングが種々の方法で実施される。例えば、移動先システムのためのハンドオーバ準備情報は移動体端末３１０から移動元システムへ提供される。次に、移動元システムは移動元および／または移動先システムが利用する無線アクセス技術とは独立の限定的に構築されたプロトコルを用いてハンドオーバ準備情報をＳ３＊またはＳ１０１トンネルを通じて移動先システムに中継する。あるいはまた、移動端末３１０は移動先システム用のハンドオーバ準備情報をユーザデータとして移動元システムに伝達する。この情報は次に移動元システムによって提供されるＩＰの接続性を利用して、移動元システムによって移動先システムへ中継される。
【００４５】
一態様に従って、二重無線端末に対するアクセス間ハンドオーバと遅延の点でほぼ同じハンドオーバ特性を達成する単一無線端末のためのハンドオーバを容易にするために、システム３００が利用される。さらに、システム３００で例示するハンドオーバ手法が一般的な伝送トンネルのためのサポートだけを必要とすることが理解される。これらのトンネルは以下を含む。すなわち、例えば、移動端末３１０と、対応するネットワークインフラストラクチャ（例えば３ＧＰＰ２  ＨＲＰＤシステムのＢＳＣ、サービス一般パケット無線サービス（ＧＰＲＳ）サポートノード（Serving Generic Packet Radio Service(GPRS)Support Node）（ＳＧＳＮ）、３ＧＰＰリリース８（Ｒｅｌ−８）もしくはプレリリース８のための３ＧＰＰレガシーシステムのＳＧＳＮ、３ＧＰＰ  Ｒｅｌ−８のＭＭＥなど）内の（複数の）モビリティ管理エンティティ３２２および／または３３２との間のＬ２トンネル、並びに／または２つの関係するシステムの対応するモビリティ管理エンティティ間の一般的ＩＰパケット伝送トンネル。
【００４６】
次に図４を参照して、非３ＧＰＰアクセスシステム４２０からＥ−ＵＴＲＡＮ４３０へのハンドオーバのためにＵＥ４１０で起動された例示的資源準備を例示するシステム４００の図面を提示する。システム４００に例示するように、ＵＥ４１０が非３ＧＰＰ無線アクセスシステム４２０に接続され、Ｅ−ＵＴＲＡＮ４３０へのハンドオーバ準備が起動されるとき、ＬＴＥ非アクセス層（ＮＡＳ）の信号メッセージはＵＥ４１０と、Ｅ−ＵＴＲＡＮ４３０に関係づけられるＭＭＥ４３２との間で非３ＧＰＰ  Ｌ２トンネルおよびＳ３＊またはＳ１０１トンネルを介して交換される。前者のトンネルはＵＥ４１０から非３ＧＰＰアクセスシステム４２０へのトンネルであり、後者のトンネルは非３ＧＰＰアクセスシステム４２０の非３ＧＰＰネットワークノード４２２からＭＭＥ４３２へのトンネルである。一例において、Ｌ２トンネリングはＵＥ４１０からネットワークノード４２２へ直接に、またはＵＥ４１０から非３ＧＰＰアクセスシステム４２０へ、次に非３ＧＰＰアクセスシステム４２０からネットワークノード４２２へのＬ２トンネルの縦続として、実行される。一態様に従って、ＮＡＳ信号メッセージは非３ＧＰＰアクセスシステム４２０によってトランスペアレントにＥ−ＵＴＲＡＮ４３０へ転送される。例えば、非３ＧＰＰアクセスシステム４２０は、Ｅ−ＵＴＲＡＮ４３０へ送られるメッセージを解釈する必要がなく、その結果、システム４２０または４３０のいずれかへの影響を限定的にする。図４にさらに例示するように、ハンドオーバはサービスＳＡＥゲートウェイ４３４、および／または、ＰＤＮ  ＳＡＥゲートウェイ４３６によってさらに容易にされる。
【００４７】
同様に図５に、Ｅ−ＵＴＲＡＮ５３０から非３ＧＰＰアクセスシステム５２０へのハンドオーバのためにＵＥ５１０で起動された例示的資源準備を例示するシステム５００の図面を提示する。システム５００に例示するように、ＵＥ５１０がＥ−ＵＴＲＡＮ５３０を介して発展型パケットシステム（Evolved Packet System）（ＥＰＳ）に接続され、非３ＧＰＰアクセスシステム５２０へのハンドオーバ準備が起動されるとき、非３ＧＰＰ信号メッセージはＵＥ５１０と、非３ＧＰＰシステム５２０のＳ３＊の端点としてサービスするネットワークノード５２２との間で、Ｅ−ＵＴＲＡＮ５３０に関係するＬＴＥ  Ｌ２トンネルおよびＭＭＥ５５２を介して交換される。一例において、Ｌ２トンネリングは、ＵＥ５１０からＭＭＥ５３２へ直接に、またはＵＥ４１０からＥ−ＴＲＡＮ５３０へ、次にＥ−ＵＴＲＡＮ５３０からＭＭＥ５３２へのＬ２トンネルの縦続として、実行される。一態様に従って、信号メッセージはＥ−ＵＴＲＡＮ５３０によって非３ＧＰＰシステム５２０へトランスペアレントに転送される。例えば、Ｅ−ＵＴＲＡＮ５３０は非３ＧＰＰシステム５２０に送られるメッセージを解釈する必要がなく、その結果、システム５２０または５３０のいずれかへの影響を限定的にする。システム５００がさらに例示するように、ハンドオーバはサービスＳＡＥゲートウェイ５３４、および／または、ＰＤＮＳＡＥゲートウェイ５３６によってさらに容易にされる。
【００４８】
図６に、種々の態様に従う、アクセス間ハンドオーバを容易にするために利用される例示的ネットワークアーキテクチャ６００を例示する。一例において、非３ＧＰＰアクセスシステム６１０とＥ−ＵＴＲＡＮ６２０の間またはその逆のハンドオーバのための資源準備は、システム６１０と６２０の間の論理インタフェイスを用いて達成される。３ＧＰＰ内無線アクセス技術（Radio Access Technology）（ＲＡＴ）間のハンドオーバにおいて、そのようなインタフェイスは第１のシステムのＭＭＥと第２のシステムのＳＧＳＮとの間の参照点Ｓ３によって表されることが理解される。同様に、システム６００で例示するように、ハンドオーバ準備はＥ−ＵＴＲＡＮ６２０に関係するＭＭＥ６３０と高信頼（trusted）非３ＧＰＰアクセスシステム６１０との間に確立された付加的参照点を通じてハンドオーバ準備を実行する。一例において、この参照点はＭＭＥとＳＧＳＮとの間の従来の参照点Ｓ３に対応して、Ｓ３＊で表される。あるいはまた、ＭＭＥ６３０と非３ＧＰＰアクセスシステム６１０との間の参照点はＳ１０１および／または任意の他の適切な用語で表される。
【００４９】
一態様に従って、種々のネットワークエンティティは、付加的におよび／または代替的に、互いにその間にある参照点のセットを通じて交信する。例えば、システム６００に例示するように、非３ＧＰＰアクセスシステム６１０は、制御および／またはモビリティサポートのための信号をＳ２参照点を通じてＰＤＮおよび／またはＰＤＮＳＡＥゲートウェイ６５０と交信する。別の例において、ＭＭＥ６３０はＳ１１参照点を通じてサービスＳＡＥゲートウェイと交信する。次に、サービスＳＡＥゲートウェイ６４０は（ローミングアーキテクチャの場合に）Ｓ８ｂ参照点を通じてＰＤＮ６５０と、または（非ローミングアーキテクチャの場合に）Ｓ５参照点を通じてＰＳＮ  ＳＡＥゲートウェイ６５０と交信する。ＰＤＮおよび／またはＰＤＮ  ＳＡＥゲートウェイ６５０は付加的におよび／または代替的に、ＳＧｉ参照点を通じて１つ以上の外部パケットデータネットワークと交信する。
【００５０】
図７は、種々の態様に従う無線通信システムにおいて実行される例示的ハンドオーバ手順を例示する図面７００である。より詳細には、図面７００は、非ローミングのシナリオにおいて、高信頼非３ＧＰＰ  ＩＰアクセスから、デュアルスタックモバイルＩＰ（Dual Stack Mobile IP）バージョン６（ＤＳＭＩＰｖ６）を用いてＳ２ｃ参照点を通じる３ＧＰＰアクセスへの準備されたハンドオーバを例示する。しかし、図面７００は特定の例として提供されており、ここに添付された特許請求項の範囲を限定するように意図されていないことが理解されるべきである。
【００５１】
一態様に従って、図面７００に例示する通信セッションは非ローミングのシナリオにおいて、ＤＳＭＩＰｖ６を用いて、高信頼非３ＧＰＰアクセスシステム（例えば、３ＧＰＰ２  ＨＲＰＤシステム）で始まる。続いて、セッションは準備されたハンドオーバによって３ＧＰＰアクセスシステムへハンドオーバする。したがって、図面７００の時刻１において、ＵＥ７０２は高信頼非３ＧＰＰアクセスシステム７０４を利用する。さらに、ＵＥ７０２はＰＤＮ  ＧＷ７１４とのＤＳＭＩＰｖ６セッションを有する。次に、時刻２において、ＵＥ７０２は３ＧＰＰアクセスシステムを見出し、次に現在用いている高信頼非３ＧＰＰアクセスシステム７０４から、見出された３ＧＰＰアクセスシステムへの準備されたハンドオーバを開始する。
【００５２】
時刻２の準備されたハンドオーバの開始後に、時刻３において非３ＧＰＰアクセスシステム７０４と３ＧＰＰアクセスシステムに関係するＭＭＥ７０８との間のトンネルが、作成されるか、そうでなければＳ３＊または他の適当な参照点を通じて識別される。次に、時刻４において、ＵＥ７０２は非３ＧＰＰアクセスシステム７０４上で接続要求（Attach Request）メッセージを送る。これは次にＭＭＥ７０８へのトンネルを介して送られる。次に、時刻５において、ＭＭＥ７０８はホーム加入者サーバ（ＨＳＳ）／３ＧＰＰ  ＡＡＡ７１６と連絡し、ＵＥ７０２を認証する。一例において、認証手順の一部として、３ＧＰＰアクセスで用いる必要があるＰＤＮ  ＧＷ７１４のＩＰアドレスがＭＭＥ７０８へ搬送される。認証の成功に続いて、時刻６において、ＭＭＥ７０８はＨＳＳ７１６を用いて位置更新手順を実行する。次に、時刻７において、ＭＭＥ７０８はサービスＧＷ７１０を選択し、「デフォルトベアラ要求作成」（Create Default Bearer Request）（国際移動加入者識別（International Mobile Subscriber Identity）（ＩＭＳＩ）、ＭＭＥコンテキストＩＤ、およびＰＤＮ  ＧＷ  ＩＰアドレスを含む）を、選択されたサービスＧＷ７１０へ送る。
【００５３】
時刻７における「デフォルトベアラ要求作成」に続き、時刻８および９における動作はシステムの実施に依存して変わる。例えば、インターネット技術特別調査委員会（ＩＥＴＦ）の実施のために、サービスＧＷ７１０は、時刻８において、プロキシバインディング更新（ＢＵ）を送ることによりＰＤＮ  ＧＷ７１４に向けてＰＭＩＰｖ６登録手順を開始する。一例において、ＵＥ７０２のネットワークアクセス識別子（ＮＡＩ）が時刻６における位置更新手順で与えられていない場合、サービスＧＷ７１０はそれを時刻８において導出する。時刻９において、ＰＤＮ  ＧＷ７１４はプロキシバインディング応答（Proxy Binding Acknowledgement）（Ａｃｋ）を返し、そのモビリティバインディングを更新する。これは非３ＧＰＰアクセスネットワーク７０４からのＤＳＭＩＰｖ６トンネルを、サービスＧＷ７１０へのＰＭＩＰｖ６トンネルへ効果的に切り替える。ＰＤＮ  ＧＷ７１４は以前にＵＥ７０２に割り当てられた同じＩＰアドレスまたはプレフィックスをプロキシバインディング応答（ＢＡ）に含める。代替的に、ＧＰＲＳトンネリングプロトコル（GPRS Tunneling Protocol）（ＧＴＰ）実施において、サービスＧＷ７１０は時刻８においてベアラ作成要求（Create Bearer Request）メッセージをＰＤＮ  ＧＷ７１４へ送る。次に、ＰＤＮ  ＧＷ７１４は、時刻９においてベアラ作成応答（Create Bearer Response）メッセージをサービスＧＷ７１０へ返す。一例において、ベアラ作成応答は以前にＵＥ７０２に割り当てられた同じＩＰアドレスまたはプレフィックスを含める。
【００５４】
時刻８および９で実行された動作に続き、時刻１０においてサービスＧＷ７１０は「デフォルトベアラ作成応答」（Create Default Bearer Response）メッセージをＭＭＥ７０８へ返す。一例において、このメッセージはＵＥ７０２のＩＰアドレスを含む。さらに、このメッセージはＭＭＥ７０８へのバインディングが成功したことの表示として機能する。次に、時刻１１において、ＭＭＥ７０８は接続受入（Attach Accept）メッセージを非３ＧＰＰアクセスシステム７０４を介してＵＥ７０２へ送る。時刻１２において、ＵＥ７０２は非３ＧＰＰアクセスシステム７０４とのリンクを切断し、Ｅ−ＵＴＲＡＮ移動先アクセスシステム７０６とのリンクを確立する。時刻１３において、３ＧＰＰアクセスシステムは無線ベアラ設定手順を開始する。応答で、３ＧＰＰアクセスシステムは接続完了（Attach Complete）メッセージを送る。時刻１３において、説明した動作を終了すると、ハンドオーバが完了する。ハンドオーバに続いて、ＵＥ７０２は時刻１４において、選択的にＢＵをＰＤＮ  ＧＷ７１４へ付加的に送り、そのＤＳＭＩＰｖ６バインディングを登録解除する。このＤＳＭＩＰｖ６バインディングはＵＥ７０２が非３ＧＰＰアクセスシステム７０４にあった時に作成されたものである。
【００５５】
図８は、種々の態様に従う無線通信システムにおいて実行される例示的ハンドオーバ手順を例示する図面８００である。より詳細には、図面８００は、非ローミングのシナリオにおいて、３ＧＰＰアクセスから高信頼非３ＧＰＰ  ＩＰアクセスへの、ＤＳＭＩＰｖ６を用いたＳ２ｃ参照点を通じる、準備されたハンドオーバを例示する。しかし、図面８００は特定の例として提供されており、ここに添付された特許請求の範囲を限定するように意図されていないことが理解されるべきである。
【００５６】
一態様に従って、図面８００に例示する通信セッションは、Ｓ５参照点を通じてプロキシモバイルインターネットプロトコル（Proxy Mobile Internet Protocol）バージョン６（ＤＳＭＩＰｖ６）またはＧＴＰを用いて、３ＧＰＰアクセスシステム（例えばＥ−ＵＴＲＡＮ８０４）で始まる。代替的に、Ｓ５参照点は、（例えば、サービスＧＷ８０８およびＰＤＮ  ＧＷ８１４が並置されている場合）、通信セッションで利用されない。セッションは準備されたハンドオーバによって、ＰＭＩＰｖ６を用いない高信頼非３ＧＰＰアクセスシステム８１２へハンドオーバされる。ここで、このセッションに対応するＵＥ８０２は３ＧＰＰアクセスシステムで用いていたプレフィックスとは異なるプレフィックスを受信する。次に、ＵＥ８０２は、ＩＰセッションを保持するために同じＰＤＮ  ＧＷ８１４とのＤＳＭＩＰｖ６を開始する。従って、時刻１において、ＵＥ８０２は３ＧＰＰアクセスシステムを用い、およびＳ５インタフェースを通じてサポートされるＩＰアドレスを有する。時刻２において、ＵＥ８０２は非３ＧＰＰアクセス手順を開始することを決定する。一例において、時刻２における決定は種々の要素、例えばＵＥ８０２のローカルポリシーおよび／または他の適切な要素に基づく。さらに、ＵＥ８０２は時刻２において非３ＧＰＰアクセスシステム８１２への準備されたハンドオーバを開始する。
【００５７】
準備されたハンドオフの開始後に、非３ＧＰＰアクセスシステム８１２とＵＥ８０２が位置している３ＧＰＰアクセスシステムに関係するＭＭＥ８０６との間のトンネルが、生成されるか、そうでなければ、Ｓ３＊もしくは他の適当な参照点を通じて識別される。次に、時刻４において、ＵＥ８０２はＥ−ＵＴＲＡＮ８０４およびＳ３＊または他の参照点を通じてアクセス認証（Access Authentication）メッセージを送ることによって、非３ＧＰＰアクセスシステム８１２におけるアクセス認証および認可を実行する。次に、３ＧＰＰ  ＡＡＡサーバ８１６は非３ＧＰＰシステム８１２におけるアクセスのためにＵＥ８０２を認証し、認可する。さらに、移動先システム８１２は時刻４においてＵＥ８０２に対してシステム資源および／またはＩＰアドレスを割り当てる。
【００５８】
時刻５において、ＵＥ８０２はＥ−ＵＴＲＡＮ移動元システム８０４とのリンクを切断し、非３ＧＰＰ移動先アクセスシステム８１２とのリンクを確立する。時刻６において、非３ＧＰＰアクセスシステム８１２は、ＰＭＩＰｖ６対応でないことを決定するか、またはそうでなければ、ＰＭＩＰｖ６を用いないことを決める。従って、ＵＥ８０２はそれが３ＧＰＰアクセスシステムで用いていたＩＰアドレスとは異なるＩＰアドレスを得る。結果的に、ＵＥ８０２は時刻６においてＩＰセッションを保持するためにＤＳＭＩＰｖ６手順を開始することをさらに決定する。ＩＰアドレス割当が時刻４において実行される場合、時刻６で説明した動作は省略されることが理解される。
【００５９】
次に、時刻７において、ＵＥ８０２はＤＳＭＩＰｖ６  ＢＵメッセージをその気付アドレス（ＣｏＡ）を登録するためにＰＤＮ  ＧＷ８１４へ送る。ＰＤＮ  ＧＷ８１４はＵＥ８０２を認証および認可し、次に、ＵＥ８０２が３ＧＰＰアクセスシステムで用いていたＩＰアドレス（例えば、ホームアドレス）を含むＢＡを返送する。最終的に、時刻８においてＵＥ８０２は同じＩＰアドレスを用いてＩＰサービスを続ける。
【００６０】
図９乃至１１を参照して、ここに記載した種々の態様に従って実行される方法を例示する。説明の簡単さのために、これらの方法は連続する動作として示され、説明されるが、いくつかの動作は１つ以上の態様にしたがって、ここに示され説明された順序とは異なる順序および／または他の動作と同時に実行できる故に、本方法が動作の順序によって限定されないことが理解され認識されるべきである。例えば、当業者は、１つの方法が代替的に状態線図のように一連の相互関連状態またはイベントとして表すことができることを理解し、認識するだろう。さらに、１つ以上の態様にしたがって一方法を実施するために、例示された動作がすべて必要というわけではない。
【００６１】
図９を参照して、無線通信システム（例えば、システム２００）の移動先ネットワークへのハンドオーバを管理するための方法９００が例示される。方法９００は、例えば無線通信ネットワーク（例えば、移動元ネットワーク２２０）および／または任意の他の適当なネットワークエンティティによって実行されることが理解されるべきである。方法９００はブロック９０２で始まる。ここで、移動先ネットワーク（例えば、移動先ネットワーク２３０）に関係する信号伝送方法に基づく信号（例えば、移動デバイス２１０から伝送された信号）が識別される。一例において、ブロック９０２における信号のために利用される信号伝送方法は、移動先の無線アクセス技術（例えば、ＬＴＥ、ｃｄｍａ２０００など）に基づく。信号は、１つ以上のカプセル化データパケットとして、および／または任意の他の適切な構造で、ＮＡＳメッセージとして伝達される。
【００６２】
次に、ブロック９０４において、移動先ネットワークへの通信リンクが確立される。通信リンクはＳ３＊もしくはＳ１０１参照点および／または任意の他の適切な参照点を通じて確立される。一例において、通信リンクは移動先ネットワークでのＭＭＥおよび／または別の適切なネットワークノードで終了する。通信リンクはアクセスから独立のプロトコルをさらに利用することがある。例えば、このリンクは一般的ＩＰパケットトランスポートトンネルとして構成される。方法９００はブロック９０６へ進む。９０６で、移動先ネットワークへのハンドオフが必要であるかどうかが決定される。一例において、ブロック９０６で肯定的決定に達するまで、ブロック９０４で移動先ネットワークへの通信リンクの確立を遅らせる。
【００６３】
方法９００はブロック９０８で完結する。９０８において、移動先ネットワークへのハンドオーバが要求された場合には、ブロック９０４で確立された通信リンクを用いて、ブロック９０２で識別された信号を移動先ネットワークへ提供することによって、移動先ネットワークにおいて資源が準備される。一態様に従って、信号は、信号の解釈および／またはあらかじめ実行されるべき他の処理を必要とせずに、トランスペアレントに移動先ネットワークへ提供される。一例において、信号がブロック９０２で１つ以上のデータパケットとして識別された場合、その信号はブロック９０８においてＩＰトランスポートプロトコルを用いて移動先ネットワークへ提供される。
【００６４】
図１０に、無線通信システムのハンドオフ動作のための資源準備のための方法１０００を例示する。方法１０００は例えば無線通信ネットワーク（例えば移動先ネットワーク２３０）および／または任意の他の適切なネットワークエンティティで実行される。方法１０００はブロック１００２で始まる。ブロック１００２において、移動元システムとの通信トンネルが確立される。一態様に従って、通信トンネルはアクセスから独立のプロトコルに基づく。例えば、通信トンネルは移動元システムからの一般的なＩＰトランスポートトンネルである。別の例において、このトンネルは移動元ネットワークのＭＭＥおよび／または別の適切なノードと確立される。
【００６５】
次に、ブロック１００４において、ブロック１００２で確立された通信トンネルを介して、移動元システムから中継信号（最初ＵＥによって伝達された信号）が受信される。一例において、ブロック１００４で受信された中継信号は、方法１０００を実行しているエンティティが利用する無線アクセス技術に、それが移動元システムによって用いられる無線アクセス技術であっても、基づく。方法１０００はブロック１００６で完結する。ブロック１００６において、通信のための資源がブロック１００４で受信された信号に基づいて準備される。
【００６６】
図１１は、第１のネットワーク（例えば、移動元ネットワーク２２０）から第２のネットワーク（例えば、移動先ネットワーク２３０）へのハンドオーバを準備するための方法１１００を例示するフロー図である。方法１１００が、例えば移動端末（例えば、移動デバイス２１０）および／または任意の他の適切なネットワークエンティティによって実行されることが理解されるべきである。方法１１００はブロック１１０２で始まる。ブロック１１０２において第１のアクセス方法を用いて第１のネットワークとの通信が確立される。次に、ブロック１１０４において、第１のネットワークから第２のアクセス方法を利用する第２のネットワークへの通信サービスにおける必要な変更が識別される。一例において、第１および第２のアクセス方法は互いに異種である。例えば、最初のアクセス法は非３ＧＰＰアクセスに基づき、第２のアクセス方法は３ＧＰＰ  ＬＴＥに、またはその逆に基づく。
【００６７】
方法１１００はブロック１１０６で完結する。ブロック１１０６において、資源は、第２のアクセス方法に基づきかつ第２のネットワークに送られる第１のネットワークへの信号を伝達することにより、第２のネットワークにおいて準備される。一例において、ブロック１１０６における伝達は第２のネットワークへの次に転送するために第１のネットワークにおけるＭＭＥへ信号を提供することによって行われる。別の例において、信号は１つ以上のＬ２トンネルを用いて伝達される。一般的ＩＰパケット転送手法を用いて信号の転送を容易にするために、付加的および／または代替的に、伝達に先立って信号がデータパケットとしてカプセル化される。
【００６８】
次に図１２を参照して、ここに説明する種々の態様が機能する例示的無線通信システム１２００を例示するブロック図を示す。一例において、システム１２００は、送信機システム１２１０および受信機システム１２５０を含む複数入力複数出力（ＭＩＭＯ）システムである。しかし、送信機システム１２１０および／または受信機システム１２５０は、例えば（例えば基地局の）複数送信アンテナが１つ以上のシンボルストリームを単一のアンテナデバイス（例えば移動局）へ送信する複数入力単一出力システムにも適用される。さらに、ここに説明する送信機システム１２１０および／または受信機システム１２５０の態様が単一出力単一入力アンテナシステムと一緒に利用されるだろうことが理解されるべきである。
【００６９】
一態様に従って、送信機システム１２１０において、多くのデータストリームに対するトラヒックデータがデータ源１２１２から送信（ＴＸ）データプロセッサ１２１４へ出力される。一例において、各データストリームはそれぞれの送信アンテナ１２２４を介して送信される。さらに、ＴＸデータプロセッサ１２１４は各データストリ−ムについてトラヒックデータをフォーマットし符号化しインタリーブする。これらは符号化データを提供するために、それぞれのデータストリームに対して選択された特定の符号化方式に基づいて行われる。一例において、各データストリームに対する符号化データは次にＯＦＤＭ手法を用いてパイロットデータと多重化される。このパイロットデータは例えば既知の方法で処理される既知のデータパターンである。さらに、受信機システム１２５０においてチャネル応答を推定するためにパイロットデータを用いる。送信機システム１２１０に戻り、各データストリームに対する多重化されたパイロットおよび符号化データは、変調シンボルを出力するためにそれぞれのデータストリームに対して選択された特定の変調方式（例えば、ＢＰＳＫ、ＱＳＰＫ、Ｍ−ＰＳＫ、またはＭ−ＱＡＭ）に基づいて変調（すなわちシンボルマッピング）される。一例において、各データストリームに対するデータレート、符号化および変調はプロセッサ１２３０によって実行される命令、および／または提供される命令によって決定される。
【００７０】
次に、すべてのデータストリームの変調シンボルは（例えば、ＯＦＤＭのために）変調シンボルをさらに処理するＴＸプロセッサ１２２０に出力される。ＴＸ  ＭＩＭＯプロセッサ１２２０は、次にＮＴ個の変調シンボルストリームをＮＴ個の送受信機１２２２ａ乃至１２２２ｔへ出力する。一例において、各送受信機１２２２は１つ以上のアナログ信号を出力するために、それぞれのシンボルストリームを受信し処理する。次に各送受信機１２２２はＭＩＭＯチャネル上での送信に適した変調信号を出力するためにアナログ信号をさらに調整する（例えば増幅し、フィルタリングしおよびアップコンバージョンする）。従って、送受信機１２２２ａ乃至１２２２ｔからの変調信号はＮＴ個のアンテナ１２２４ａ乃至１２２４ｔからそれぞれ送信される。
【００７１】
別の態様に従って、送信された変調信号は受信機システム１２５０においてＮR個のアンテナ１２５２ａ乃至１２５２ｒによって受信される。各アンテナ１２５２からの受信信号は次にそれぞれの送受信機１２５４へ出力される。一例において、各送受信機１２５４はそれぞれの受信信号を調整し（例えば、フィルタリングし、増幅し、およびダウンコンバージョン）、サンプルを出力するために調整した信号をディジタル化し、次に、そのサンプルを処理して対応する「受信」シンボルストリームを出力する。ＲＸ  ＭＩＭＯ／データプロセッサ１２６０は次にＮＴ個の「検出」シンボルストリームを出力するために、特定の受信機処理手法に基づいて、ＮR個の送受信機１２５４からのＮR個の受信シンボルストリームを入力し処理する。一例において、各検出シンボルストリームは対応するデータストリームに対して送信された変調シンボルの推定値であるシンボルを含む。次に、ＲＸプロセッサ１２６０は復調、デインタリービングおよび復号することによって各検出シンボルストリームの少なくとも一部を処理し、対応するデータストリームに対するトラヒックデータを復元する。このように、ＲＸプロセッサ１２６０による処理は、送信機システム１２１０においてＴＸ  ＭＩＭＯプロセッサ１２２０およびＴＸデータプロセッサ１２１４によって実行されたことと相補的である。ＲＸプロセッサ１２６０は処理されたシンボルストリームをデータシンク１２６４へさらに出力する。
【００７２】
一態様に従って、ＲＸプロセッサ１２６０で生成されたチャネル応答推定値は、受信機において空間／時間処理を実行し、電力レベルを調整し、変調速度または方式を変更するために、および／または他の適当な動作のために用いられる。付加的に、ＲＸプロセッサ１２６０は例えば検出されたシンボルストリームの信号対雑音干渉比（ＳＮＲ）のようなチャネル特性をさらに推定する。次にＲＸプロセッサ１２６０は推定されたチャネル特性をプロセッサ１２７０へ出力する。一例において、ＲＸプロセッサ１２６０および／または１２７０はシステムの「動作」ＳＮＲの推定値をさらに導出する。次に、プロセッサ１２７０は、通信リンクおよび／または受信データストリームに関する情報を含むチャネル状態情報（ＣＳＩ）を出力する。この情報は例えば動作ＳＮＲを含む。次に、ＣＳＩはＴＸデータプロセッサ１２１８によって処理され、変調器１２８０によって変調され、送受信機１２５４ａ乃至１２５４ｒによって調整され、さらに送信機システム１２１０へ返送される。さらに、受信機システム１２５０のデータ源１２１６はＴＸデータプロセッサ１２１８によって処理されるべき追加データを出力する。
【００７３】
送信機システム１２１０に戻り、受信機システム１２５０からの変調信号はアンテナ１２２４で受信され、送受信機１２２２で調整され、復調器１２４０で復調され、さらにＲＸデータプロセッサ１２４２によって処理され、受信機システム１２５０によって報告されたＣＳＩを復元する。一例において、報告されたＣＳＩはプロセッサ１２３０へ出力され、１つ以上のデータストリームに用いられることになる符号化および変調方式と同様にデータレートを決定するために用いられる。この決定された符号化および変調方式は、次に量子化および／または後の受信機システム１２５０への送信に用いるために、送受信機１２２２へ出力される。付加的および／または代替的に、報告されたＣＳＩはＴＸデータプロセッサ１２１４およびＴＸＭＩＭＯプロセッサ１２２０のための種々の制御を生成するためにプロセッサ１２３０によって用いられる。別の例において、ＣＳＩおよび／またはＲＸデータプロセッサによって処理された他の情報はデータシンク１２４４へ出力される。
【００７４】
一例において、送信機システム１２１０のプロセッサ１２３０、および受信機システム１２５０プロセッサ１２７０はそれぞれのシステムにおける動作を指示する。さらに、送信機システム１２１０のメモリー１２３２および受信機システム１２５０のメモリー１２７２は、プロセッサ１２３０および１２７０によってそれぞれ用いられるプログラムコードおよびデータのための格納を提供する。さらに、受信機システム１２５０において、ＮT個の送信シンボルストリームを検出するためのＮR個の受信信号を処理するために種々の処理手法が用いられる。これらの受信機処理手法は等化手法とも呼ばれる空間的および空間時間受信機処理手法を含み、および／または「逐次干渉消去」または「逐次消去」受信機処理手法とも呼ばれる「逐次ヌリング／等化および干渉消去」受信機処理手法を含む。
【００７５】
図１３は、ここに説明する種々の態様に従って、無線通信方式におけるハンドオフ動作の管理を容易にするシステム１３００のブロック図である。一例において、システム１３００は基地局またはアクセスポイント１３０２を含む。例示されるように、アクセスポイント１３０２は１つ以上のアクセス端末１３０４から１つ以上の受信（Ｒｘ）アンテナ１３０６を介して（複数の）信号を受信し、１つ以上のアクセス端末１３０４へ１つ以上の送信（Ｔｘ）アンテナ１３０８を介して送信する。
【００７６】
さらに、アクセスポイント１３０２は（複数の）受信アンテナ１３０６から情報を入力する受信機１３１０を含む。一例において、受信機１３１０は受信情報を復調する復調器（Ｄｅｍｏｄ）１３１２に動作的に関係づけられる。復調シンボルは次にプロセッサ１３１４で解析される。プロセッサ１３１４はメモリー１３１６と接続される。このメモリーはコード群、アクセス端末割当、それらに関連するルックアップテーブル、一意のスクランブルシーケンス、および／または他の適切な形式の情報を格納する。一例において、アクセスポイント１３０２は方法９００、１０００、および／または、他の同様で適切な方法を実行するためにプロセッサ１３１４を採用する。アクセスポイント１３０２は、（複数の）送信アンテナ１３０８を通じて送信機１３２０で送信するために信号を多重化する変調器１３１８も含む。
【００７７】
図１４は、ここに説明する種々の態様に従って、無線通信方式におけるハンドオーバの管理を容易にするシステム１４００のブロック図である。一例において、システム１４００は端末またはユーザ機器（ＵＥ）１４０２を含む。例示されるように、ＵＥ１４０２は、１つ以上のアンテナ１４０８を介して、１つ以上のノードＢ１４０４から（複数の）信号を受信し、１つ以上のノードＢ１４０４へ送信する。さらに、ＵＥ１４０２は（複数の）アンテナ１４０８から情報を入力する受信機１４１０を含む。一例において、受信機１４１０は受信情報を復調する復調器（Ｄｅｍｏｄ）１４１２に動作的に関係づけられる。復調シンボルは次にプロセッサ１４１４で解析される。プロセッサ１４１４はメモリー１４１６と接続される。このメモリーはＵＥ１４０２関連するデータおよび／またはプログラムコードを格納する。さらに、ＵＥ１４０２は方法１１００および／または他の同様で適切な方法を実行するためにプロセッサ１４１４を採用する。ＵＥ１４０２は（複数の）送信アンテナ１４０８を通じて送信機１４２０で送信するために信号を多重化する変調器１４１８も含む。
【００７８】
図１５は無線通信方式（例えば、システム２００）においてハンドオフの準備および管理を容易にする装置１５００を例示する。装置１５００が機能ブロックを含んでいるとして表されており、これらがプロセッサ、ソフトウェア、またはそれらの組合せ（例えば、ファームウェア）によって実施される機能を表す機能ブロックでもよいということが理解されるべきである。装置１５００はアクセスポイント（例えば、移動元システム２２０）および／または任意の他の適切なネットワークエンティティで実施され、また、移動先ネットワークのアクセス方法に基づいてＵＥからの信号を受信するためのモジュール１５０２と、ＵＥに対する通信サービスが移動先ネットワークに引き渡されることになっているかどうかを決定するためのモジュール１５０４と、肯定的決定のときは移動先ネットワークの資源の準備を容易にするために受信信号を移動先ネットワークへトンネリングするためのモジュール１５０６とを含む。
【００７９】
図１６に、移動元システムからのハンドオーバのための資源準備を容易にする装置１６００を例示する。装置１６００が機能ブロックを含んでいるとして表されており、これらがプロセッサ、ソフトウェア、またはそれらの組合せ（例えば、ファームウェア）によって実施される機能を表す機能ブロックでもよいということが理解されるべきである。装置１６００はアクセスポイント（例えば、移動先システム２３０）および／または任意の他の適切なネットワークエンティティで実施され、また、移動元システムとの通信リンクのための資源を確立するためのモジュール１６０２と、その通信リンク上で移動元システムを介して端末から情報を受信するためのモジュール１６０４と、受信情報に基づいて端末と交信するための資源を確立するためのモジュール１６０６とを含む。
【００８０】
図１７に、無線通信システムにおけるハンドオーバのためのアクセス間システム準備を容易にする装置１７００を例示する。装置１７００が機能ブロックを含んでいるとして表されており、これらは、プロセッサ、ソフトウェア、またはそれらの組合せ（例えば、ファームウェア）によって実施される機能を表す機能ブロックでもよい、ということが理解されるべきである。装置１７００はアクセス端末（例えば、移動デバイス２１０）および／または任意の他の適切なネットワークエンティティで実施され、また、第１の通信方法を用いて第１のシステムと交信するためのモジュール１７０２と、第２の通信方法を利用して第２のシステムを識別するためのモジュール１７０４と、第２のシステムへ送られる設定情報を提供することにより、および第２の通信方法を第１のシステムに利用することにより通信サービスを第２のシステムへ変更するための資源を準備するためのモジュール１７０６とを含む。
【００８１】
ここに説明した態様がハードウェア、ソフトウェア、ファームウェア、ミドルウェア、マイクロコード、またはそれらの任意の組合せによって実施されることが理解されるべきである。システムおよび／または方法がソフトウェア、ファームウェア、ミドルウェアもしくはマイクロコード、プログラムコードもしくはコードセグメントで実施される場合、それらは記憶部品のような機械可読媒体に格納される。コードセグメントはプロシージャ、関数、サブプログラム、プログラム、ルーチン、サブルーチン、モジュール、ソフトウェアパッケージ、クラス、または命令の任意の組合せ、データ構造、またはプログラムステートメントを表す。コードセグメントは、情報、データ、引数、パラメータ、またはメモリー内容を通過させおよび／または入力することによって、他のコードセグメントまたはハードウェア回路と結合される。情報、引数、パラメータ、データ等はメモリー共有、メッセージパッシング、トークンパッシング、ネットワーク伝送等を含む任意の適当な手段を用いて通過され転送されまたは送信される。
【００８２】
ソフトウェアの実施において、ここに説明した技術は、ここに説明した機能を実行するモジュール（例えば、プロシージャ、関数など）で実施されるかもしれない。ソフトウェアコードはメモリーユニットに格納され、プロセッサによって実行されるかもしれない。メモリーユニットはプロセッサの内部でまたはプロセッサの外部で実施される。後者の場合、当業者に既知の種々の手段を介して通信的にプロセッサに接続される。
【００８３】
上で説明してきたことは１つ以上の態様の例を含む。上述の態様を説明する目的で、構成要素または方法の考えうる全ての組合せを説明することが可能でないことは当然であるが、通常の当業者は種々の態様の多くの更なる組合せおよび置き換えが可能であることを認めるだろう。従って、説明した態様は添付された請求項の精神と範囲の中にあるそのようなすべての変更、修正、および変形を包含するように意図されている。さらに、用語「含む」が詳細な説明または請求項のいずれかで用いられていれば、そのような用語は、用語「備えた」にいわば類似して、包含的であることが意図されている。「備えた」は、用いられると、請求項内の移行句として解釈されるからである。さらに、用語「または」、「もしくは」は、詳細な説明または請求項で用いられていれば、「非排他的論理和」を意味する。
【図１】
2010531116.tif 000003
【図２】
2010531116.tif 000004
【図３】
2010531116.tif 000005
【図４】
2010531116.tif 000006
【図５】
2010531116.tif 000007
【図６】
2010531116.tif 000008
【図７】
2010531116.tif 000009
【図８】
2010531116.tif 000010
【図９】
2010531116.tif 000011
【図１０】
2010531116.tif 000012
【図１１】
2010531116.tif 000013
【図１２】
2010531116.tif 000014
【図１３】
2010531116.tif 000015
【図１４】
2010531116.tif 000016
【図１５】
2010531116.tif 000017
【図１６】
2010531116.tif 000018
【図１７】
2010531116.tif 000019
【国際調査報告】
2010531116.tif 000020
2010531116.tif 000021
2010531116.tif 000022
2010531116.tif 000023
2010531116.tif 000024